(57)【要約】【課題】縦張り用外装材の凸柄部の模様パターンによる縦目地との関係で縦目地間に切断基準線を胴縁ピッチに合致するように設けて、凸柄部が胴縁位置に確実にビスや釘の固定位置として来るようにした縦張り用外装材を提供するものである。【解決手段】所定サイズの外装パネル１上に縦目地２に直交する略一直線状に幅広部３と幅狭部４からなる大小ブロック状の凸柄部５を形成した複数本の横目地６を上下方向に交互に形成してなる外装板を縦張り状に張る縦張り用外装板Ａにおいて、上下に配置された幅狭部４に少なくとも二以上の上下方向に同一線上に並ぶ縦目地２が配設されるとともにこの縦目地２ａ，２ｂ間の切断基準線７を胴縁８のピッチＰに合致するように設け、該幅狭部４の切断基準線７上の縦目地２ａ，２ｂを避けて、凸柄部５が上下に連続する切断基準線７を縦目地配置可能範囲Ｂとしてビス打ちするように形成するものである。【選択図】　　　　図１
2004100407.tif 000002
【特許請求の範囲】
【請求項１】
所定サイズの外装パネル上に縦目地に直交する略一直線状に幅広部と幅狭部からなる大小ブロック状の凸柄部を形成した複数本の横目地を上下方向に交互に形成してなる外装板を縦張り状に張る縦張り用外装板において、上下に配置された幅狭部に少なくとも二個以上の上下方向に同一線上に並ぶ縦目地が配設されるとともに該縦目地間の切断基準線を胴縁ピッチに合致するように設け、該幅狭部の切断基準線上の縦目地を避けて、凸柄部が上下に連続する切断基準線を縦目地配置可能範囲としてビス打ちするように形成することを特徴とする縦張り用外装材。
【請求項２】
上記縦張り用外装材が窯業系でできたものであること特徴とする請求項１記載の縦張り用外装材。
【発明の詳細な説明】
【０００１】
【発明の属する技術分野】
本発明は、表面に大小ブロック状の凸柄部を形成し、横目地及び縦目地を設けた所定サイズの外装パネル上に固着する縦張り用外装材に関するものである。
【０００２】
【従来の技術】
従来から実部と表面側段落部を形成した標準パネルと、両端部に実部を有する切断可能な切断パネルとを用意して、材料ロスが無く施工できる外装材の施工法方法は、知られている。（例えば、特許文献１参照）
【０００３】
【特許文献１】
特開平６−２２０９７４号公報（第１−２頁、第１図）
【０００４】
さらに、所定サイズの外装パネル上に縦目地に直交する略一直線状の大小ブロック状の凸柄部を形成した複数本の横目地を形成してなる複数枚の外装板を縦張り状に張る縦張り用外装材は公知である。
【０００５】
しかしながら、このような縦張り用外装材を鋸で切断して縦目地を当接してビスや釘で所定サイズの外装パネル上に固着する際に、強度を保持するために胴縁間隔によって固着位置が制限されるので、その位置付近に縦目地が来た場合にはこの縦目地が欠けてしまうという問題があった。そこで鋭意研究した結果、縦張り用外装材の模様パターンによる縦目地との関係で縦目地間に切断基準線を胴縁ピッチに合致するように設けておけば良いことがわかった。
【０００６】
【発明が解決しようとする課題】
本発明は上記問題点の解決を目的とするものであり、縦張り用外装材の凸柄部の模様パターンによる縦目地との関係で縦目地間に切断基準線を胴縁ピッチに合致するように設けて、凸柄部が胴縁位置に確実にビスや釘の固定位置として来るようにした縦張り用外装材を提供するものである。
【０００７】
【課題を解決するための手段】
本発明の請求項１記載の縦張り用外装材は、所定サイズの外装パネル上に縦目地に直交する略一直線状に幅広部と幅狭部からなる大小ブロック状の凸柄部を形成した複数本の横目地を上下方向に交互に形成してなる外装板を縦張り状に張る縦張り用外装板において、上下に配置された幅狭部に少なくとも二個以上の上下方向に同一線上に並ぶ縦目地が配設されるとともに該縦目地間の切断基準線を胴縁ピッチに合致するように設け、該幅狭部の切断基準線上の縦目地を避けて、凸柄部が上下に連続する切断基準線を縦目地配置可能範囲としてビス打ちするように形成することを特徴とする。
【０００８】
したがって、縦張り用外装材の凸柄部の模様パターンによる縦目地との関係で縦目地間に切断基準線を胴縁ピッチに合致するように設けて、凸柄部が胴縁位置に確実にビスや釘の固定位置として来るようにしたものである。
【０００９】
本発明の請求項２記載の縦張り用外装材は、請求項１記載の縦張り用外装材が窯業系でできたものであることを特徴とするものである。
【００１０】
したがって、ビスや釘の固定位置が確定されるので、縦張り用外装材に欠けを生じることもない。
【００１１】
【発明の実施の形態】
図１乃至図４に示したように、本発明の実施形態に係わる縦張り用外装材であって、以下に説明する。
【００１２】
本発明の一形態の縦張り用外装材Ａは、セメント板、パルプ混入セメント板、合板等でできた所定サイズの外装パネル１上に縦目地２に直交する略一直線状に幅広部３と幅狭部４からなる大小ブロック状の凸柄部５を形成した複数本の横目地６を上下方向に交互に形成してなる外装板を縦張り状に張る縦張り用外装板Ａにおいて、上下に配置された幅狭部４に少なくとも二以上の上下方向に同一線上に並ぶ縦目地２が配設されるとともにこの縦目地２ａ，２ｂ間の切断基準線７を胴縁８のピッチＰに合致するように設け、該幅狭部４の切断基準線７上の縦目地２ａ，２ｂを避けて、凸柄部５が上下に連続する切断基準線７を縦目地配置可能範囲Ｂとしてビス打ちするように形成するものである。
【００１３】
したがって、幅狭部４に設けられた切断基準線７上の縦目地２ａ，２ｂを避けて、凸柄部５を上下に連続する切断基準線７を基準に切断して、この幅狭部４を縦目地配置可能範囲Ｂとしてビス打ちするように形成するようにすれば良いものである。
【００１４】
以下、この縦張り用外装材Ａを用いて施工する手順を示す。
柱間に４５０ｍｍピッチで胴縁８を釘等で固着されている。そして、この胴縁８上にセメント板、パルプ混入セメント板、合板等でできた所定サイズの外装パネル１を固着し、この外装パネル１上に、縦目地２に直交する略一直線状に幅広部３と幅狭部４からなる大小ブロック状の凸柄部５を形成した複数本の横目地６を上下方向に交互に形成してなる縦張り用外装板Ａを固着している。
【００１５】
このとき、外装パネル１の大きさは、幅９０９ｍｍ×高さ１８１８ｍｍ、幅１８１８ｍｍ×高さ２４２４ｍｍ等に形成され、この外装パネル１上に本発明の縦張り用外装材Ａを貼着していくものである。通常、縦張り用外装材Ａの幅は、４５５ｍｍ、９０９ｍｍが基準とされている。
【００１６】
そして、これらの縦張り用外装材Ａを固着する際に、基材となる外装パネル１上に縦張り用外装材Ａを切断して施工しなければならないものである。このとき、縦目地２を作るために切断する際に、縦張り用外装材Ａのどの位置で切断すれば切断部で欠けや割れが生じて外観上、醜くならないようにすることが必要であった。
【００１７】
そこで、縦張り用外装材Ａの幅狭部４の切断基準線７上の縦目地２ａ，２ｂを避けて、凸柄部５が上下に連続する切断基準線７を縦目地配置可能範囲Ｂと定めてビス９で固着可能なように形成しておけば、胴縁８に確実に釘やビス等で固着できるものである。
【００１８】
このようにすることで、縦張り用外装材Ａの凸柄部５の模様パターンによる縦目地２との関係で縦目地２、２間に切断基準線７を胴縁８のピッチに合致するように設けて、凸柄部５が胴縁８の位置に確実にビスや釘の固定位置として来るようにしたものである。
【００１９】
【発明の効果】
上述の如く、本発明の請求項１記載の縦張り用外装材は、所定サイズの外装パネル上に縦目地に直交する略一直線状に幅広部と幅狭部からなる大小ブロック状の凸柄部を形成した複数本の横目地を上下方向に交互に形成してなる外装板を縦張り状に張る縦張り用外装板において、上下に配置された幅狭部に少なくとも二個以上の上下方向に同一線上に並ぶ縦目地が配設されるとともにこの縦目地間の切断基準線を胴縁ピッチに合致するように設け、この幅狭部の切断基準線上の縦目地を避けて、凸柄部が上下に連続する切断基準線を縦目地配置可能範囲としてビス打ちするように形成しているので、縦張り用外装材の凸柄部の模様パターンによる縦目地との関係で縦目地間に切断基準線を胴縁ピッチに合致するように設けて、凸柄部が胴縁位置に確実にビスや釘の固定位置として来るようにしたものである。
【００２０】
本発明の請求項２記載の縦張り用外装材が窯業系でできているので、ビスや釘の固定位置が確定され、縦張り用外装材に欠けを生じることもない。
【図面の簡単な説明】
【図１】本発明の一実施例に係わる縦張り用外装材の正面図である。
【図２】本発明の一実施例に係わる外装パネル上に縦張り用外装材を固着した状態を示す横断面図である。
【図３】本発明の一実施例に係わる縦張り用外装材と胴縁との関係を示す正面図である。
【図４】本発明の一実施例に係わる縦張り用外装材と胴縁との関係を示す要部の断面図である。
【符号の説明】
Ａ　　　縦張り用外装材
Ｂ　　　縦目地配置可能範囲
１　　　外装パネル
２　　　縦目地
３　　　幅広部
４　　　幅狭部
５　　　凸柄部
６　　　横目地
７　　　切断基準線
８　　　胴縁
９　　　ビス
【図１】
2004100407.tif 000003
【図２】
2004100407.tif 000004
【図３】
2004100407.tif 000005
【図４】
2004100407.tif 000006